(57)【要約】【課題】  デザインバリエーションを増やすことを可能にし、組込作業も容易にしたガラス取付構造を提供することにある。【解決手段】  ガラス押さえ６は、ガラスの周縁部に、径方向に向かって係合し且つガラスの周縁部を保持する。胴２は、その周縁部２ａに、ガラス押さえ取付部２ｃを有している。ガラス押さえ６は、胴２のガラス押さえ取付部２ｃに取り付けられ、摺動することにより胴２に嵌め込まれたガラス４の周縁部に係合する。ガラス４に係合したガラス押さえ６は、固定部材によりガラス押さえ取付部２ｃに固定される。この構造では、ガラス押さえ６を胴２に取り付けた後、ガラス４を嵌め込み、ガラス押さえ６を摺動させることで係合させてガラス４を胴２に取り付けることができる。【選択図】  図８
2010096661.tif 000002
【特許請求の範囲】
【請求項１】
胴の前面にガラスを取り付けるガラス取付構造であって、
前記ガラスの周縁部に径方向に向かって係合し且つガラスの周縁部を保持するガラス押さえと、
前記胴の周縁部に設けられ前記ガラス押さえが径方向に摺動可能に取り付けられるガラス押さえ取付部と、
を備えることを特徴とするガラス取付構造。
【請求項２】
前記ガラス押さえは突出部を有し、前記ガラス押さえ取付部には前記突出部が径方向に摺動可能に嵌入される長孔が設けられていることを特徴とする請求項１記載のガラス取付構造。
【請求項３】
前記ガラス押さえは、前記ガラス押さえ取付部の径方向外方から径方向内方に摺動することにより前記ガラスの周縁部に係合することを特徴とする請求項２記載のガラス取付構造。
【請求項４】
前記ガラス押さえは前記ガラスの周縁部の前面に係合して前方から押さえることで保持することを特徴とする請求項３記載のガラス取付構造。
【請求項５】
前記ガラス押さえを前記ガラス押さえ取付部に固定する固定部材を備えることを特徴とする請求項４記載のガラス取付構造。
【発明の詳細な説明】
【技術分野】
【０００１】
本発明は、時計等における胴の前面にガラスを取り付けるガラス取付構造に関するものであり、特に、ガラスの周縁部を数ヵ所押さえるように胴に取り付けられるガラス押さえを用いてガラスを胴に取り付ける構造に関する。
【背景技術】
【０００２】
従来、ガラスの取付構造としては、ケースの前面にガラスを嵌め込み、ケースの周縁部に取り付けられるガラス固定部材の一部をガラスの周縁部分に前方から押し付けることでガラスを固定する構造が知られている（例えば、特許文献１参照）。
【特許文献１】特開２０００−６５９５９号公報
【発明の開示】
【発明が解決しようとする課題】
【０００３】
上記従来技術においては、ケースの周縁部にガラス固定部材を取り付ける取付部を設けることが必要であった。この取付部は、ガラスを嵌め込んだ後でガラス固定部材を取り付けるため、ガラスの外側に大きく張り出すように設けなければならなかった。このため、ガラスの外側にケースが大きく張り出したデザインとしなければならず、デザインバリエーションを増やすことができないという問題があった。
【０００４】
また、ガラスにガラス固定部材をセットした状態でケースに組み込むことも行われるが、ガラスと複数の固定部材をそれぞれ対応する取付部分に同時に組み込むことが難しく、組込作業が難しいという問題があった。
【０００５】
本発明が解決しようとする課題は、上記従来技術の問題点を解決し、デザインバリエーションを増やすことを可能にし、組込作業も容易にしたガラス取付構造を提供することにある。
【課題を解決するための手段】
【０００６】
本発明のガラス取付構造は、胴の前面にガラスを取り付けるガラス取付構造であって、前記ガラスの周縁部に径方向に向かって係合し且つガラスの周縁部を保持するガラス押さえと、前記胴の周縁部に設けられ前記ガラス押さえが径方向に摺動可能に取り付けられるガラス押さえ取付部と、を備えている。このガラス取付構造における前記ガラス押さえは突出部を有し、前記ガラス押さえ取付部には前記突出部が径方向に摺動可能に嵌入される長孔が設けられている。また、前記ガラス押さえは、前記ガラス押さえ取付部の径方向外方から径方向内方に摺動することにより前記ガラスの周縁部に係合する。また、前記ガラス押さえは前記ガラスの周縁部の前面に係合し前方から押さえることで保持する。また、このガラス取付構造は、前記ガラス押さえを前記ガラス押さえ取付部に固定する固定部材を備えている。
【発明の効果】
【０００７】
本発明のガラス取付構造においては、ガラス押さえがガラスの周縁部の前面に径方向に向かって係合すると共に胴のガラス押さえ取付部に径方向に摺動可能に取り付けられている。このため、ガラス押さえを胴に取り付け、次にガラスを胴に嵌め込んだ後、ガラス押さえを径方向に摺動させてガラスの周縁部に係合させることができる。これにより、ガラス押さえを取り付ける胴の周縁部に設けられたガラス押さえ取付部を、ガラスに重なる位置に設けることができるようになる。この結果、ガラスの外側に胴が大きく張り出すことがなく、デザインの自由度を高めてバリエーションを増やすことができる。
【０００８】
また、ガラスを胴に嵌め込む前に、ガラス押さえを胴に取り付けることができるので、組込作業がし易く、作業効率を高めることができる。
【発明を実施するための最良の形態】
【０００９】
本発明のガラス取付構造は、胴に取り付けるガラス押さえによってガラスを胴に取り付ける構造である。ガラス押さえは、ガラスの周縁部に、径方向に向かって係合し且つガラスの周縁部を保持する。また、胴は、その周縁部に、ガラス押さえが径方向に摺動可能に取り付けられるガラス押さえ取付部を有している。ガラス押さえは、胴のガラス押さえ取付部に取り付けられ、摺動することにより胴に嵌め込まれたガラスの周縁部に係合する。このようにガラスに係合したガラス押さえは、固定部材によりガラス押さえ取付部に固定される。
【００１０】
上記のように、本発明のガラス取付構造においては、ガラス押さえを胴に取り付けた後、ガラスを嵌め込み、ガラス押さえを摺動させることで係合させてガラスを胴に取り付けることができる。
【実施例】
【００１１】
図１は本発明の一実施例に係るガラス取付構造を示す時計の正面図、図２は図１に示すガラス取付構造の拡大正面図、図３（ａ），（ｂ），（ｃ）はそれぞれ図２に示すガラス押さえを示す背面図、正面図、側面図、図４は図２に示す胴のガラス押さえ取付部を示す拡大正面図、図５は図２に示すガラス取付構造の分解断面図である。尚、本実施例においては、正面形状が円形をなす時計に用いた場合を例にとって説明するが、正面形状が矩形をなす時計等に用いることも可能である。
【００１２】
２は胴、４は胴２の前面に嵌め込まれるガラス、６はガラス４に係合して胴２に押さえ付けるガラス押さえである。
【００１３】
胴２は、その周縁部２ａの内側にガラス４を載置する環状の段部２ｂを有すると共に、周縁部２ａの数ヵ所（本実施例では４ヵ所）に段部２ｂに重なるように設けられたガラス押さえ取付部２ｃを有している。このガラス押さえ取付部２ｃは、ガラス押さえ６に適合するように段部２ｂを切り欠いた凹部２ｄと、その背面方向の底部中央に径方向に向かって伸びるように設けられた長孔２ｅと、この長孔２ｅの内方端部を挟むように設けられたガラス押さえ固定用の孔２ｆと、から構成されている。
【００１４】
ガラス４は、胴２の段部２ｂに適合する形状をなし、段部２ｂ上に載置されるように嵌め込まれている。
【００１５】
ガラス押さえ６は、本体６ａと、その背面から突出する略円筒状の突出部６ｂと、から構成されている。本体６ａは、断面が略コの字形状をなすものであり、前面側に設けられ且つガラス４の前面に係合して押さえ付ける係合部６ｃと、略Ｌ字形状に屈曲してガラス４を避けながら係合部６ｃを支える支持部６ｄとを備えている。この本体６ａの支持部６は、その背面側の端部付近から突出部６ｂが背面方向に突出すると共に、この突出部６ｂを挟むように設けられ且つ胴２の孔２ｆに対応する固定用の孔６ｅを有している。
【００１６】
次に、上記構成からなるガラス取付構造におけるガラスの取付手順を図５乃至図８等に基づいて説明する。はじめに、図５に示す胴２のガラス押さえ取付部２ｃに、図６に示すように、ガラス押さえ６を取り付ける。このときに、ガラス押さえ６の突出部６ｂをガラス押さえ取付部２ｃの長孔２ｅに挿入する。これにより、ガラス押さえ６は、長孔２ｅに沿って径方向に摺動可能な状態でガラス押さえ取付部２ｃに取り付けられる。
【００１７】
ここで、ガラス押さえ６を径方向外側に位置付けて段部２ｂの外側にガラス押さえ６の係合部６ｃが位置するようにセットし、図７に示すようにガラス４を段部２ｂに嵌め込む。
【００１８】
上記のようにガラス４を胴２に嵌め込んだ後、図８に示すように、ガラス押さえ６を径方向内側に摺動させる。これによりガラス押さえ６の係合部６ｃは、ガラス４の周縁部前面に係合し、ガラス４を前方から押さえて固定する。このときにガラス押さえ取付部２ｃの孔２ｆとガラス押さえ６の孔６ｅが対面する状態になり、この孔２ｆを貫いて孔６ｅに達するネジ等の固定部材（図示せず）を取り付けることでガラス押さえ６を胴２に固定する。尚、孔２ｆの周縁を凹状に窪ませると共に、孔６ｅの周縁をボスのように凸状に盛り上げて形成しても良い。このように形成すると、凹状の窪みと凸状の盛り上がりが係合して、孔２ｆ，６ｅの位置決めを容易にすることができる。また、ネジ等の固定部材の代わりに、ガラス押さえ６の突出部６ｂの先端にネジ、リベット等の固定部材を取り付けて移動しないように固定しても良い。
【００１９】
上記ガラス取付構造においては、ガラス押さえ６を胴２に取り付けた後ガラス４を嵌め込むことができるので、ガラス押さえ６を胴２に取り付けるための構造、即ち突出部６、長孔２ｅ等をガラス４に重なる位置に配置することができる。このため、これらの構造を収めるために胴２の周縁部２ａを外方に張り出す必要がなくなる。従って、ガラス４に係合するように径方向内側に摺動させたガラス押さえ６の径方向外側端部の位置がほぼ胴２の周縁部２ａの張り出し端部となり、胴２の張り出しを大きく減らすことができる。
【００２０】
また、上記ガラス取付構造においては、ガラス押さえ６の係合部６ｃや支持部６ｄの径方向の長さを任意に変更することが可能である。更に、胴２の周縁部２ａにはガラス押さえ６の本体６ａを配置するだけであり、周縁部２ａの厚みを減らすことが可能である。このため、図９に示すように、ガラス押さえ６の支持部６ｂの径方向の長さを伸ばすと、胴２の周縁部２ａの厚みを極めて薄くして軽快な印象を与えるデザインにすることができる。また、時計を前方から見たときに、ガラス押さえ６とこれを支持する胴２の周縁部２ａだけを残して、他の周縁部分を削除することもでき、ガラス４の周囲に胴２の周縁が無いシンプルなデザインにすることもできる。
【００２１】
尚、上記実施例においては、ガラス押さえ６を胴２に取り付けてからガラス４を嵌め込んでいるが、ガラス４の周縁部にガラス押さえ６を取り付けてからガラス４とガラス押さえ６を同時に胴２に取り付けることもできる。この場合、ガラス押さえ６は、長孔２ｅに沿って移動可能であるため、取り付ける際にその位置を微調整して取り付けることができ、簡単に取り付けることができる。また、ガラス４にガラス押さえ６をセットするときにも、ガラス押さえ６の本体６ａが略コの字形状をなし、ガラス４の周縁部を挟持又は抱持することが可能であるため、簡単にガラス４にセットすることができる。
【図面の簡単な説明】
【００２２】
【図１】本発明の一実施例に係るガラス取付構造を示す時計の正面図である。
【図２】図１に示すガラス取付構造の拡大正面図である。
【図３】（ａ），（ｂ），（ｃ）はそれぞれ図２に示すガラス押さえを示す背面図、正面図、側面図である。
【図４】図２に示す胴のガラス押さえ取付部を示す拡大正面図である。
【図５】図２に示すガラス取付構造の分解断面図である。
【図６】図５に示すガラス押さえを胴に取り付けた状態を示す断面図である。
【図７】図６に示す胴にガラスを嵌め込んだ状態を示す断面図である。
【図８】図７に示すガラス押えを摺動させた状態を示す断面図である。
【図９】図８等に示すガラス押えと胴の一部を変更した変更例を示す断面図である。
【符号の説明】
【００２３】
２      胴
２ａ    周縁部
２ｂ    段部
２ｃ    ガラス押さえ取付部
２ｄ    凹部
２ｅ    長孔
２ｆ    孔
４      ガラス
６      ガラス押さえ
６ａ    本体
６ｂ    突出部
６ｃ    係合部
６ｄ    支持部
６ｅ    孔
【図１】
2010096661.tif 000003
【図２】
2010096661.tif 000004
【図３】
2010096661.tif 000005
【図４】
2010096661.tif 000006
【図５】
2010096661.tif 000007
【図６】
2010096661.tif 000008
【図７】
2010096661.tif 000009
【図８】
2010096661.tif 000010
【図９】
2010096661.tif 000011